(57)【要約】【課題】超高圧送電線の鉄塔上での作業などに着用した場合の人体への静電誘導電流を感知電流以下に抑制するとともに、通気性の良好な送電用導電衣を提供する。【解決手段】送電用導電衣１は、導電性の材料、例えば、銀によってめっきされた糸を一定の間隔、例えば、５ｍｍ間隔で格子状に編み込んだメッシュ状の導電性布を用いて縫製されてなるヘルメットカバー１０と、導電性布を用いて縫製されてなる中間着用のシャツ１１と、導電性布を用いて縫製されてなる中間着用のズボン１２と、ヘルメットカバー１０とシャツ１１を電気的に接続する連結部１４Ｂと、シャツ１１とズボン１２を電気的に接続する連結部１４Ａと、ズボン１２と導電性の靴３２を電気的に接続するトレンカ１５とを有する。【選択図】図１
2018111900.tif 000002
【特許請求の範囲】
【請求項１】
導電性の材料によってめっきされた糸をニット布に一定の間隔で格子状に編み込んだ導電性布を縫製して形成されたシャツと、
前記導電性布を縫製して形成されたズボンと、
前記導電性布を縫製して形成されたヘルメットカバーと、
前記シャツと前記ズボンとを電気的に接続する第１の連結部と、
前記ズボンと導電性の靴とを電気的に接続する第２の連結部と、
前記ヘルメットカバーと前記シャツとを電気的に接続する第３の連結部と、
を有する送電用導電衣。
【請求項２】
前記シャツは、半袖のシャツであり、
前記ズボンの丈は、膝と踝との間までの長さである請求項１に記載の送電用導電衣。
【請求項３】
導電性の材料によってめっきされた糸をニット布に５ｍｍ以下の一定の間隔で格子状に編み込んだ導電性布を縫製して形成された半袖のシャツと、
前記導電性布を縫製して形成され、丈が膝と踝との間までの長さのズボンと、
前記導電性布を縫製して形成されたヘルメットカバーと、
前記導電性布を縫製して形成され、前記ヘルメットカバーに電気的に接続され、首の後ろ側を覆う首カバーと、
前記シャツと前記ズボンとを電気的に接続する第１の連結部と、
前記ズボンと導電性の靴とを電気的に接続する第２の連結部と、
前記ヘルメットカバーと前記シャツとを電気的に接続する第３の連結部と、
を有し、
洗濯回数が２０回のとき、汗かき時の遮蔽率が７０％程度以上に維持される送電用導電衣。
【発明の詳細な説明】
【技術分野】
【０００１】
本発明は、送電用導電衣に関する。
【背景技術】
【０００２】
従来、作業服の代わりに着る導電性作業服として、超高圧送電線での作業において着用することで作業者が静電誘導電圧に感電することを低減させるものが知られている（例えば、特許文献１参照。）。
【０００３】
特許文献１に記載された導電性作業服は、ポリエステルや木綿の混紡糸と導電性メッキ繊維やステンレス繊維とを編組した生地で構成された、ヘルメットカバー、上着及びズボンを備え、ヘルメットカバーと上着とを接続帯により接続したものである。
【先行技術文献】
【特許文献】
【０００４】
【特許文献１】特開平１１−３５０２１４号公報
【発明の概要】
【発明が解決しようとする課題】
【０００５】
しかしながら、上記特許文献１に記載の導電性作業服は、一般的には平織の生地が使用され、上着として着用するものであり、通気性が考慮されていない。このため、熱がこもり易く、夏場は特に汗をかき易く、作業性が低下するほか、熱中症の恐れも増大するという問題がある。
【０００６】
本発明の目的は、超高圧送電線の鉄塔上での作業などに着用した場合の人体への静電誘導電流を感知電流以下に抑制するとともに、通気性の良好な送電用導電衣を提供することにある。
【課題を解決するための手段】
【０００７】
本発明の一態様は、上記目的を達成するため、以下の送電用導電衣を提供する。
【０００８】
［１］導電性の材料によってめっきされた糸をニット布に一定の間隔で格子状に編み込んだ導電性布を縫製して形成されたシャツと、
前記導電性布を縫製して形成されたズボンと、
前記導電性布を用いたヘルメットカバーと、
前記シャツと前記ズボンとを電気的に接続する第１の連結部と、
前記ズボンと導電性の靴とを電気的に接続する第２の連結部と、
前記ヘルメットカバーと前記シャツとを電気的に接続する第３の連結部と、を有する送電用導電衣。
［２］前記シャツは、半袖のシャツであり、
前記ズボンの丈は、膝と踝との間までの長さである、前記［１］に記載の送電用導電衣。
［３］導電性の材料によってめっきされた糸をニット布に５ｍｍ以下の一定の間隔で格子状に織り込んだ導電性布を縫製して形成された半袖のシャツと、
前記導電性布を縫製して形成され、丈が膝と踝との間までの長さのズボンと、
前記導電性布を用いたヘルメットカバーと、
前記導電性布を縫製して形成され、前記ヘルメットカバーに電気的に接続され、首の後ろ側を覆う首カバーと、
前記シャツと前記ズボンとを電気的に接続する第１の連結部と、
前記ズボンと導電性の靴とを電気的に接続する第２の連結部と、
前記ヘルメットカバーと前記シャツとを電気的に接続する第３の連結部と、
を有し、
洗濯回数が２０回のとき、汗かき時の遮蔽率が７０％以上に維持される送電用導電衣。
【発明の効果】
【０００９】
請求項１に記載された発明によれば、超高圧送電線の鉄塔上での作業に着用した場合の人体電流を感知電流以下に抑制するとともに、通気性の良好な送電用導電衣を提供することができる。
請求項２に記載された発明によれば、人体からの放熱性が向上する。
請求項３に記載された発明によれば、繰り返し洗濯した後も送電用導電衣として使用することができる。
【図面の簡単な説明】
【００１０】
【図１】図１は、本発明の実施の形態に係る送電用導電衣の構成の一例を示す正面図である。
【図２】図２は、本発明の実施の形態に係る送電用導電衣の構成の一例を示す背面図である。
【図３】図３は、送電用導電衣を着用した作業者の作業場所の例を示す概略図である。
【発明を実施するための形態】
【００１１】
図１は、本発明の実施の形態に係る送電用導電衣の構成の一例を示す正面図である。図２は、本発明の実施の形態に係る送電用導電衣の構成の一例を示す背面図である。
【００１２】
送電用導電衣１は、作業者２が着用するものであり、ヘルメットカバー１０、半袖のシャツ１１、ズボン１２及び首カバー１３等から構成される。なお、送電用導電衣１は、ヘルメット３０に被せるヘルメットカバー１０を除いて、図示するように肌着３１の上に中間着として着用し、図示した送電用導電衣１の上にさらに図示しない作業服を着用するのが好ましい。
【００１３】
ヘルメットカバー１０には、首の後ろ側を覆う首カバー１３が設けられ、ヘルメットカバー１０と電気的に接続されている。
【００１４】
シャツ１１は、首開口部１１０を有し、正面にジッパー１１１が設けられ、肩付近には袖部１１２が設けられている。
【００１５】
ヘルメットカバー１０とシャツ１１は、連結部１４Ｂ（第３の連結部）によって電気的に接続される。なお、連結部１４Ｂはヘルメットカバー１０に設けられてもよいし、シャツ１１に設けられてもよいし、ヘルメットカバー１０及びシャツ１１のいずれとも独立して設けられてもよいし、ヘルメットカバー１０およびシャツ１１の双方に設けた連結部同士を結ぶものでもよい。
【００１６】
また、シャツ１１とズボン１２は、連結部１４Ａ（第１の連結部）によって電気的に接続される。なお、連結部１４Ａはシャツ１１に設けられてもよいし、ズボン１２に設けられてもよいし、シャツ１１及びズボン１２のいずれとも独立して設けられてもよいし、シャツ１１とズボン１２の双方に設けた連結部同士を結ぶものでもよい。また、シャツ１１とズボン１２とを重ねて着用することで電気的に接続される場合は、連結部１４Ａを省略してもよい。
【００１７】
ズボン１２は、丈が膝と踝との間、例えばふくらはぎの半分程度までの長さが好ましい。これにより人体からの放熱性を向上させることができる。ズボン１２の丈は、放熱性及び遮蔽率の観点から定められる。
【００１８】
また、ズボン１２は、トレンカ１５（第２の連結部）を有し、トレンカ１５によって導電性の靴３２と電気的に接続される。なお、ズボン１２と靴３２とを重ねて着用することで電気的に接続される場合はトレンカ１５を省略してもよい。
【００１９】
ヘルメットカバー１０、シャツ１１、ズボン１２及首カバー１３は、例えば、ポリエステルのニット布に導電性の糸を間隔５ｍｍの格子状に織り込んだもの（導電性布）を用いる。導電性の糸は、ポリエステルの糸を導電性の材料、例えば、銀でめっきしたものである。導電性の糸の間隔は、目標の遮蔽率（例えば７０％）に応じて、例えば、２〜７ｍｍ又は２〜５ｍｍの範囲内で定められる。
【００２０】
ヘルメットカバー１０からトレンカ１５までの間の電気抵抗は、製造時で約２０Ωである。なお、洗濯による劣化はわずかであり、洗濯を２０回程度以上行った後の電気抵抗は数百Ωであり、遮蔽率への影響は軽微であった。このため、洗濯を２０回行った後の遮蔽率は７０％程度以上を維持している。なお、遮蔽率の測定方法は、人体模擬したマネキン人形に送電用導電衣１を着せ、マネキンの頭の上方に設けた起誘導電極と大地間に適切な電圧を印加して、マネキンに流れる誘導電流と送電用導電衣に流れる誘導電流を測定し、遮蔽率を算出する。なお、汗かき時（２００ｇの塩水を含ませた時）の遮蔽率は下着のシャツを汗かき状態に模擬して、前記と同様の測定を行ったが、洗濯を２０回程度以上行った後の遮蔽率は７０％程度以上を維持している。
【００２１】
（実施の形態の効果）
上記した実施の形態によれば、導電性布を用いてヘルメットカバー１０、シャツ１１、ズボン１２及び首カバー１３を縫製したため、超高圧送電線の鉄塔上での作業に着用した場合の人体電流を感知電流以下に抑制することができるとともに、通気性を確保することができる。また、シャツ１１は、半袖とし、ズボン１２は丈が通常より短いため、人体からの放熱性が向上する。
【００２２】
また、導電性布の厚さを適度な薄さにしたことでしなやかな着心地を達成できるだけでなく、中間着として着用するようにしたため、作業中の鉄塔部材との擦れ傷や引っ掻き傷などの直接外傷を受けづらい。
【００２３】
また、シャツ１１とズボン１２を上下別体としたため、着脱が容易となり、用足しも簡単に行える構造である。
【００２４】
また、導電性布としてポリエステルのニット布に導電性の糸を格子状に織り込んだものを用いたため、従来の導電性作業服に比べて通気性に優れ、コストを抑制することができる。
【００２５】
［作業場所の例］
図３は、送電用導電衣を着用した作業者の作業場所の一例を示す概略図である。
【００２６】
鉄塔４は、一定の間隔をもって配置され、複数の電線５を懸架する。電線５は、６６ｋＶ、１５４ｋＶ、２７５ｋＶ、５００ｋＶの電圧が印加されるが、ここでは特に２７５ｋＶ以上であって特に５００ｋＶの電圧で送電する鉄塔上で保守作業等を行う場合に送電用導電衣１が用いられる。
【００２７】
超高圧送電線（２７５ｋＶ以上、特に５００ｋＶ）の鉄塔４上での作業においては（図３参照）、電線５に印加される電圧によって静電誘導が生じ、作業者２がアースされた鉄塔等に触れた際に体内に電気（人体電流）が流れる。この人体電流は、感知電流（１ｍＡ）以下に抑制することが好ましいことから、作業者２は、送電用導電衣１を着用して図３に示すように鉄塔４上で作業する。
【００２８】
なお、本発明は、上記実施の形態に限定されず、本発明の趣旨を逸脱しない範囲内において種々に変形実施が可能である。例えば、シャツ１１は半袖のものを示したが、必要な遮蔽率を確保できれば、袖なしでもよく、七分袖等、自由に袖丈を変更してもよい。また、シャツ１１の前にジッパー１１１を設けているが、ジッパー１１１の代わりに、ボタンや紐などでもよい。
【符号の説明】
【００２９】
１…送電用導電衣、２…作業者、４…鉄塔、５…電線、１０…ヘルメットカバー、
１１…半袖のシャツ、１２…ズボン、１３…首カバー、１４Ａ、１４Ｂ…連結部、
１５…トレンカ、３０…ヘルメット、３１…肌着、３２…靴、１１０…首開口部、
１１１…ジッパー、１１２…袖部
【図１】
2018111900.tif 000003
【図２】
2018111900.tif 000004
【図３】
2018111900.tif 000005